【手続補正書】
【提出日】令和3年3月8日(2021.3.8)
【手続補正１】
【補正対象書類名】特許請求の範囲
【補正対象項目名】全文
【補正方法】変更
【補正の内容】
【特許請求の範囲】
【請求項１】
記録媒体が載置される載置台と、
第１方向に移動可能であり、前記載置台に載置された前記記録媒体に印刷を行うインクジェットヘッドと、
前記載置台に載置された前記記録媒体を前記第１方向と交わる第２方向に移動させる移動機構と、を備え、
前記移動機構は、
前記載置台より上方に配置され、回動可能に構成されると共に前記記録媒体の前記第１方向の両端部を押さえる一対のサイドピンチローラと、
前記一対のサイドピンチローラの間に設けられ、回動可能に構成されると共に前記記録媒体を押さえる少なくとも一つのセンターピンチローラと、
前記第１方向に延び、前記一対のサイドピンチローラおよび前記少なくとも一つのセンターピンチローラを保持する第１保持シャフトと、
前記第１方向に並び、前記サイドピンチローラおよび前記センターピンチローラの下方に配置され、前記サイドピンチローラとの間および前記センターピンチローラとの間に前記記録媒体を挟んで前記記録媒体を前記第２方向に移動させる複数の駆動ローラと、
前記サイドピンチローラおよび前記センターピンチローラを前記駆動ローラに対して接近および離反させるように前記第１保持シャフトを回転させる第１回転手段と、
前記第１保持シャフトに保持され、前記サイドピンチローラを回転可能に保持する第１保持部材と、
前記第１保持シャフトに保持され、前記センターピンチローラを回転可能に保持する第２保持部材と、
前記第２保持部材と接触することで前記センターピンチローラを前記駆動ローラから離反する方向に移動させる接触部材と、
前記接触部材が保持される第２保持シャフトと、
前記接触部材を前記第２保持部材に対して接触および離反させるように前記第２保持シャフトを回転させる第２回転手段と、を備え、
前記サイドピンチローラおよび前記センターピンチローラと前記駆動ローラとによって前記記録媒体を挟んだ状態から、前記センターピンチローラは、前記サイドピンチローラから独立して前記記録媒体から離反する方向に移動可能に構成されている、インクジェットプリンタ。
【請求項２】
前記第２保持部材は、
前記第１保持シャフトが保持される本体部と、
前記本体部に軸支される第１回転軸と、
前記第１回転軸により前記本体部に対して回動可能に保持される腕部と、
前記腕部に設けられ、前記センターピンチローラを回転可能に支持する第２回転軸と、
前記接触部材に対して接触および離反可能に構成され、前記接触部材と接触することによって前記腕部が本体部に対して回動する係止部材と、を備えている、請求項１に記載のインクジェットプリンタ。
【請求項３】
前記接触部材は、回転中心と外周面との距離が前記係止部材と非接触となるように設定された第１部分と、前記回転中心と前記外周面との距離が前記第１部分の距離より大きく設定された第２部分とを含む偏心カムである、請求項２に記載のインクジェットプリンタ。
【請求項４】
前記第２保持シャフトは、金属材料から形成され、
前記偏心カムは、前記第２保持シャフトが挿入される挿入孔を有しかつ前記第２保持シャフトと一体となって回転し、金属材料から形成された第１部材と、樹脂材料から形成されかつ前記第２保持部材と接触可能に前記第１部材に取り付けられた第２部材とを備えている、請求項３に記載のインクジェットプリンタ。
【請求項５】
前記係止部材は、前記第２方向において前記第１回転軸と前記第２回転軸との間で前記接触部材と接触可能に設けられ、前記接触部材に向かって前記腕部から立設されており、
前記接触部材が前記係止部材を押し上げることによって、前記センターピンチローラを上方に移動させる、請求項２から４のいずれか一項に記載のインクジェットプリンタ。
【請求項６】
前記係止部材の左端は、正面視で前記センターピンチローラの左端より右方に位置し、
前記係止部材の右端は、正面視で前記センターピンチローラの右端より左方に位置する、請求項５に記載のインクジェットプリンタ。
【請求項７】
前記係止部材の前記第１方向における中央と、前記センターピンチローラの前記第１方向における中央とは前記第１方向において重なる、請求項６に記載のインクジェットプリンタ。
【請求項８】
前記第１方向に延び、前記インクジェットヘッドが移動自在に設けられたガイドレールと、
前記第１方向に延び、前記ガイドレールの下部に設けられたフレーム部材と、
前記第２保持シャフトを支持し、前記接触部材の前記第１方向の一方側かつ前記フレーム部材に取り付けられた第１支持部材と、
前記第２保持シャフトを支持し、前記接触部材の前記第１方向の他方側かつ前記フレーム部材に取り付けられた第２支持部材と、を備えている、請求項１から７のいずれか一項に記載のインクジェットプリンタ。
【請求項９】
前記第２保持部材は、前記第１保持シャフトに対して前記第１方向に摺動自在に設けられ、
前記フレーム部材は、前記センターピンチローラの下方に前記駆動ローラが位置せずかつ前記第１保持シャフトが回転したときに、前記第２保持部材と接触して前記センターピンチローラの下方への移動を阻止する、請求項８に記載のインクジェットプリンタ。
【請求項１０】
前記インクジェットヘッドおよび前記第２回転手段を制御する制御装置を備え、
前記制御装置は、前記インクジェットヘッドによる印刷前および印刷中には前記第２回転手段を駆動せず、前記インクジェットヘッドによる印刷が終了した後、前記第２回転手段を駆動して、前記接触部材を前記第２保持部材に対して接触させることで前記センターピンチローラを上方に移動させる、請求項１から９のいずれか一項に記載のインクジェットプリンタ。
【請求項１１】
記録媒体が載置される載置台と、
第１方向に移動可能であり、前記載置台に載置された前記記録媒体に印刷を行うインクジェットヘッドと、
前記載置台に載置された前記記録媒体を前記第１方向と交わる第２方向に移動させる移動機構と、を備え、
前記移動機構は、
前記載置台より上方に配置され、回動可能に構成されると共に前記記録媒体の前記第１方向の両端部を押さえる一対のサイドピンチローラと、
前記一対のサイドピンチローラの間に設けられ、回動可能に構成されると共に前記記録媒体を押さえる少なくとも一つのセンターピンチローラと、
前記第１方向に延び、前記一対のサイドピンチローラおよび前記少なくとも一つのセンターピンチローラを保持する第１保持シャフトと、
前記第１方向に並び、前記サイドピンチローラおよび前記センターピンチローラの下方に配置され、前記サイドピンチローラとの間および前記センターピンチローラとの間に前記記録媒体を挟んで前記記録媒体を前記第２方向に移動させる複数の駆動ローラと、
前記サイドピンチローラおよび前記センターピンチローラを前記駆動ローラに対して接近および離反させるように前記第１保持シャフトを回転させる第１回転手段と、
前記少なくとも一つのセンターピンチローラを、前記サイドピンチローラから独立して前記駆動ローラに対して接近および離反させる第２保持シャフトと、を備え、
前記サイドピンチローラおよび前記センターピンチローラと前記駆動ローラとによって前記記録媒体を挟んだ状態から、前記センターピンチローラは、前記サイドピンチローラから独立して前記記録媒体から離反する方向に移動可能に構成されている、インクジェットプリンタ。
【請求項１２】
前記第２保持シャフトの前記第２方向の長さは、前記第１保持シャフトの前記第２方向の長さよりも短い、請求項１１に記載のインクジェットプリンタ。
【請求項１３】
前記第１回転手段は、手動で操作されるレバーを備え、
前記第１保持シャフトは、前記レバーに接続され、
前記第２保持シャフトは、前記第２保持シャフトを回転させるモータに接続されている、請求項１１または１２に記載のインクジェットプリンタ。
【請求項１４】
前記レバーおよび前記モータは、前記第１方向に関して、前記載置台の一方側に配置されている、請求項１３に記載のインクジェットプリンタ。
【請求項１５】
前記第１保持シャフトに保持され、前記センターピンチローラを回転可能に保持する保持部材と、
前記第２保持シャフトに保持され、前記保持部材と接触可能に設けられたカムと、を備え、
前記第１保持シャフトは、前記保持部材に形成された凹部に係合し、
前記カムと前記保持部材とが接触および離反することによって、前記センターピンチローラは、前記サイドピンチローラから独立して前記駆動ローラに対して接近および離反するように構成されている、請求項１１から１４のいずれか一項に記載のインクジェットプリンタ。
【請求項１６】
前記第１保持シャフトの断面形状は、矩形状であり、
前記第２保持シャフトの断面形状は、円形状である、請求項１１から１５のいずれか一項に記載のインクジェットプリンタ。
【請求項１７】
前記第１保持シャフトに保持され、前記第１保持シャフトから前方に向けて延び、前記センターピンチローラを回転可能に保持する保持部材を備え、
前記第２保持シャフトは、前記第２保持シャフトの軸方向視において、前記第１保持シャフトより前方かつ前記センターピンチローラより上方に位置する、請求項１１から１４のいずれか一項に記載のインクジェットプリンタ。
【請求項１８】
前記第２保持シャフトの軸方向視において、前記第２保持シャフトの中心軸は、前記センターピンチローラの中心軸よりも後方に位置する、請求項１７に記載のインクジェットプリンタ。
【請求項１９】
請求項１から１８のいずれか一項に記載のインクジェットプリンタと、
前記第１方向に移動可能であり、前記載置台に載置された前記記録媒体を切断するカッティングヘッドと、を備えている、カッティングヘッド付きインクジェットプリンタ。